(57)【要約】【課題】冷房運転開始時に閉鎖弁の開閉状態を短時間で判断する。【解決手段】本空気調和機は、室外機のガス側閉鎖弁と室内機の室内熱交換器との間のガス管の温度を検出するガス管温度センサを有する。本空気調和機は、冷房運転開始の操作が行われたときに「初回運転なし」の場合は冷房検査運転開始の指令を出力し、「初回運転あり」の場合は通常冷房運転の開始指令を出力する制御装置を有している。冷房検査運転は、ガス管温度センサにより検出されるガス管温度に関し、現状と運転開始直後とのガス管温度差（ΔＴｇ）が第１所定時間（ｔ１）経過した時に所定値未満である場合にはガス側閉鎖弁が閉であると判断し、ガス管温度差（ΔＴｇ）が第１所定時間（ｔ１）経過する前に所定値以上になった場合にガス側閉鎖弁が開であると判断するように構成されている。【選択図】  図４
2019184150.tif 000002
【特許請求の範囲】
【請求項１】
圧縮機（１１）、室外熱交換器（１４）、冷媒回路における液側を開閉する液側閉鎖弁（１５）、冷媒回路におけるガス側を開閉するガス側閉鎖弁（１８）を備えた室外機（１０）と、
液側及びガス側の連絡配管（Ｌ１、Ｌ２）により前記室外機（１０）に接続される、室内熱交換器（２１）を備えた室内機（２０）と、
前記ガス側閉鎖弁（１８）と前記室内熱交換器（２１）との間のガス管の温度を検出するガス管温度センサ（３４）と、
冷房運転開始の操作が行われたときに「初回運転なし」の場合は冷房検査運転開始の指令を出力し、「初回運転あり」の場合は通常冷房運転開始の指令を出力する制御装置（４０）と、
を有し、
前記冷房検査運転は、前記ガス管温度センサ（３４）により検出される現状のガス管温度と運転開始直後のガス管温度とのガス管温度差（ΔＴｇ）が第１所定時間（ｔ１）経過した時に所定値未満である場合には前記ガス側閉鎖弁（１８）が閉であると判断し、前記第１所定時間（ｔ１）経過する前に前記ガス管温度差（ΔＴｇ）が前記所定値以上になった場合に前記ガス側閉鎖弁（１８）が開であると判断するように構成されている
空気調和機。
【請求項２】
請求項１に記載の空気調和機であって、
前記冷房検査運転は、前記ガス側閉鎖弁（１８）が閉であると判断した場合は、前記圧縮機（１１）を停止し、前記ガス側閉鎖弁（１８）が閉であることを表示するように構成されている
空気調和機。
【請求項３】
請求項１又は請求項２に記載の空気調和機であって、
前記液側閉鎖弁（１５）に対する前記液側の連絡配管（Ｌ１）側に接続された電動膨張弁（１６）と、
前記室外熱交換器（１４）の室外熱交換器温度を検出する室外熱交換器温度センサ（３１）と、
前記液側閉鎖弁（１５）に対し前記電動膨張弁（１６）側に接続される配管（１５ｂ）の配管温度を検出する配管温度センサ（３２）とを、
さらに有し、
前記冷房検査運転は、前記ガス側閉鎖弁（１８）が開であると判断した場合には、前記室外熱交換器温度センサ（３１）により検出される前記室外熱交換器温度と前記配管温度センサ（３２）により検出される前記配管温度との温度差を液側閉鎖弁（１５）前後の温度差（ΔＴｈ）とし、この液側閉鎖弁（１５）前後の温度差（ΔＴｈ）が第２所定時間（ｔ２）経過する前に所定値を超えた場合に前記液側閉鎖弁（１５）が閉であると判断し、前記液側閉鎖弁（１５）前後の温度差（ΔＴｈ）が前記第２所定時間（ｔ２）経過した時に前記所定値未満の場合に前記液側閉鎖弁（１５）が開であると判断するように構成されている
空気調和機。
【請求項４】
請求項３に記載の空気調和機であって、
前記冷房検査運転は、前記液側閉鎖弁（１５）が閉であると判断した場合は、前記圧縮機（１１）を停止し、前記液側閉鎖弁（１５）が閉であることを表示するように構成されている
空気調和機。
【請求項５】
請求項４に記載の空気調和機であって、
前記冷房検査運転は、前記液側閉鎖弁（１５）が開であると判断した場合に、通常冷房運転開始の指令を出力するように構成されている
空気調和機。
【発明の詳細な説明】
【技術分野】
【０００１】
本開示は、空気調和機に関する。
【背景技術】
【０００２】
一般に室外機には、冷媒回路のガス側接続端部及び液側接続端部の近傍に、ガス管側及び液管側を開閉するためのガス側閉鎖弁及び液側閉鎖弁が設けられている。これら閉鎖弁は、手動式であるため据え付け作業終了時には作業者が開いた状態にしておかなければならない。ところが何らかの手違いにより開き忘れということが起こり得る。このため従来は、据え付け後、冷房運転開始に先立ちこれら閉鎖弁の開き忘れがないかを検査する検査運転が行われていた。従来の検査運転は、冷房運転開始から所定時間内に、室内熱交換器温度と室温との温度差及び室外熱交換器温度と外気温度との温度差が所定値より大きくならない場合に閉鎖弁閉と判断する方法であった。このような検査方法を示すものとして特許文献１を挙げる。
【０００３】
ところで、従来は、ガス側閉鎖弁及び液側閉鎖弁の開放作業は、本来一連の据え付け作業として同時期に行われなければならないものであるので、双方の開閉状態は通常は同一であると考えられている。加えて、暖房運転開始に際しガス側閉鎖弁が閉じられているときは、運転開始直後に圧縮機の吐出圧力が異常上昇して異常検出装置が作動し、圧縮機の運転が停止されていた。このため、閉鎖弁の開き忘れがないかの検査運転は、従来は冷房運転開始のときに特に問題になっていた。
【先行技術文献】
【特許文献】
【０００４】
【特許文献１】特開２００４−１６２９７９号公報
【発明の概要】
【発明が解決しようとする課題】
【０００５】
しかし、従来の、閉鎖弁の開き忘れを検査する検査運転は、概ね冷房運転が立ち上がってからでないと判断できないため、結果が出るまでに時間が長くかかっていた。そこで誤検知の恐れをなくすために、ガードタイムの設定が必要となっていた。また、マルチ式空気調和機のように連絡配管の本数や連絡配管の長さが設置条件により大きく異なる場合には、ガードタイムの時間設定が難しいという問題があった。
【０００６】
本開示の目的は、冷房運転開始時に閉鎖弁の開閉状態を短時間で判断できるようにした空気調和機を提供することにある。
【課題を解決するための手段】
【０００７】
第１の観点に係る空気調和機は、圧縮機、室外熱交換器、冷媒回路における液側を開閉する液側閉鎖弁、冷媒回路におけるガス側を開閉するガス側閉鎖弁を備えた室外機と、液側及びガス側の連絡配管により前記室外機に接続される、室内熱交換器を備えた室内機と、前記ガス側閉鎖弁と前記室内熱交換器との間のガス管の温度を検出するガス管温度センサと、冷房運転開始の操作が行われたときに「初回運転なし」の場合は冷房検査運転開始の指令を出力し、「初回運転あり」の場合は通常冷房運転開始の指令を出力する制御装置と、を有し、前記冷房検査運転は、前記ガス管温度センサにより検出される現状のガス管温度と運転開始直後のガス管温度とのガス管温度差が第１所定時間経過した時に所定値未満である場合には前記ガス側閉鎖弁が閉であると判断し、前記第１所定時間経過する前に前記ガス管温度差が前記所定値以上になった場合に前記ガス側閉鎖弁が開であると判断するように構成されている。
【０００８】
ここで、「冷房検査運転」とは、冷房運転開始の操作が行われたときに、通常冷房運転に入る前に、冷媒回路を冷房サイクルとした状態で圧縮機を運転して閉鎖弁の開閉を確認する運転をいう。
【０００９】
また、ガス側閉鎖弁を開として冷房検査運転を開始したとすると、ガス側閉鎖弁と室内熱交換器との間のガス管内は圧縮機の吸入側となり、冷媒の圧力及び温度が急速に低下する。従って、運転後の現状のガス管温度は運転開始直後のガス管温度に比して低下する。ここでは、冷房検査運転後の現状のガス管温度と冷房検査運転開始直後のガス管温度との温度差のことを「ガス管温度差」と称している。また、ガス管温度差を明確に認識できる程度の温度差のことを、ここではガス管温度差についての「所定値」と称している。そして、ガス側閉鎖弁を開として冷房検査運転をした場合に、ガス管温度差が所定値に当然達しているであろうと予測される冷房検査運転の運転時間を「第１所定時間」と称している。
【００１０】
この空気調和機によれば、冷房運転開始の操作が行われた場合、「初回運転あり」の場合は速やかに通常の冷房運転が行われる。また、「初回運転なし」の場合は、冷房時検査運転が行われ、短時間でガス側閉鎖弁の開閉状態を判断することができる。
【００１１】
第２の観点に係る空気調和機によれば、前記冷房検査運転は、前記ガス側閉鎖弁が閉であると判断した場合は、前記圧縮機を停止し、前記ガス側閉鎖弁が閉であることを表示するように構成されている。
【００１２】
この空気調和機によれば、冷房検査運転において、ガス側閉鎖弁が閉であると判断された場合は、圧縮機が停止されるので、圧縮機の保護が図れる。また、このとき、ガス側閉鎖弁が閉であることが表示されるので、ガス側閉鎖弁は勿論のこと液側閉鎖弁についてもその開閉を確認し、これら閉鎖弁を開放することができる。
【００１３】
第３の観点に係る空気調和機によれば、前記液側閉鎖弁に対する前記液側の連絡配管側に接続された電動膨張弁と、前記室外熱交換器の室外熱交換器温度を検出する室外熱交換器温度センサと、前記液側閉鎖弁に対し前記電動膨張弁側に接続される配管の配管温度を検出する配管温度センサとを、さらに有し、前記冷房検査運転は、前記ガス側閉鎖弁が開であると判断した場合には、前記室外熱交換器温度センサにより検出される前記室外熱交換器温度と前記配管温度センサにより検出される前記配管温度との温度差が第２所定時間経過する前に所定値を超えた場合に前記液側閉鎖弁が閉であると判断し、前記温度差を液側閉鎖弁前後の温度差とし、この液側閉鎖弁前後の温度差が前記第２所定時間経過した時に前記所定値未満の場合に前記液側閉鎖弁が開であると判断するように構成されている。
【００１４】
仮に、ガス側閉鎖弁が開であり、液側閉鎖弁が閉の状態で冷房検査運転が行われたとすると、冷媒が室内機側へ流れないので液側閉鎖弁の入口側（室外熱交換器側）の冷媒の圧力及び温度が上昇する。これに対し、液側閉鎖弁の出口側（電動膨張弁側）の冷媒の圧力及び温度は遅れて低下の方向に変化する。従って、この影響が室外熱交換器温度センサにより検出される室外熱交換器温度と配管温度センサにより検出される配管温度との温度差になって現れてくる。この場合、室外熱交換器温度と液側閉鎖弁の入口側温度とは一定の関係を有する近似温度となる。そこで、室外熱交換器温度センサにより検出される室外熱交換器温度と配管温度センサにより検出される配管温度との温度差を液側閉鎖弁前後の温度差として取り扱っている。また、この液側閉鎖弁前後の温度差の存在を明確に認識できる程度の温度差のことを、ここでは液側閉鎖弁前後の温度差についての「所定値」と称している。そして、仮に、ガス側閉鎖弁を開と判断した後に液側閉鎖弁を閉として冷房検査運転を継続した場合に、液側閉鎖弁前後の温度差が所定値に当然達しているであろうと予測される冷房検査運転の運転時間を「第２所定時間」という。
【００１５】
この空気調和機によれば、冷房検査運転において、ガス側閉鎖弁が開であると判断された場合、液側閉鎖弁の開き忘れがないか判断される。この液側閉鎖弁の開き忘れがないかの判断は、ガス側閉鎖弁が開の場合に行われるので、従来のものより短時間で行われる。
【００１６】
第４の観点に係る空気調和機によれば、前記冷房検査運転は、前記液側閉鎖弁が閉であると判断した場合は、前記圧縮機を停止し、前記液側閉鎖弁が閉であることを表示するように構成されている。
【００１７】
この空気調和機によれば、冷房検査運転において、液側閉鎖弁が閉であると判断された場合は、圧縮機が停止されるので、圧縮機の保護が図れる。また、液側閉鎖弁が閉であると判断された場合は、液側閉鎖弁が閉であることが表示されるので、液側閉鎖弁の開き忘れを確認し、液側閉鎖弁を開放することができる。
【００１８】
第５の観点に係る空気調和機によれば、前記冷房検査運転は、前記液側閉鎖弁が開であると判断した場合は、通常冷房運転開始の指令を出力するように構成されている。
この空気調和機によれば、「初回冷房運転なし」の場合であっても、ガス側閉鎖弁及び液側閉鎖弁が開放されている場合は、速やかに通常の冷房運転に移行することができる。
【図面の簡単な説明】
【００１９】
【図１】実施の形態に係る空気調和機の冷媒回路図。
【図２】同空気調和機の制御装置と、この制御装置に接続される周辺機器のブロック図。
【図３】同空気調和機の冷房運転開始時における冷房検査運転開始までの制御動作を示すフローチャート。
【図４】同空気調和機における冷房運転開始時の冷房検査運転の制御動作を示すフローチャート。
【図５】同空気調和機の暖房運転開始時における暖房検査運転開始までの制御動作を示すフローチャート。
【図６】同空気調和機における暖房運転開始時の暖房検査運転の制御動作を示すフローチャート。
【発明を実施するための形態】
【００２０】
以下、本実施の形態に係る空気調和機について説明する。なお、本開示は、以下に記載する例示に限定されるものではなく、特許請求の範囲によって示され、特許請求の範囲と均等の意味および範囲内での全ての変更が含まれることが意図される。
【００２１】
本実施の形態に係る空気調和機は、図１に示すように、室外に設置される１台の室外機１０に対し、室内に設置される３台の室内機２０がそれぞれ３本の液側の連絡配管Ｌ１と ３本のガス側の連絡配管Ｌ２とによって並列接続されたマルチ型の空気調和機である。
【００２２】
このマルチ型の空気調和機の概略構成を説明する。
室外機１０は、インバータにより回転数可変に形成された圧縮機１１、圧縮機１１の吐出管と吸入管とに接続される四路切換弁１２とを備え、圧縮機１１と四路切換弁１２とを接続する吸入管の中間にアキュムレータ１３が接続されている。そして、室外機１０は、四路切換弁１２の一方の切換えポートに対して室外熱交換器１４、冷媒回路における液側を開閉する液側閉鎖弁１５、並列接続される３個の電動膨張弁１６、３個の液側連絡配管接続部１７が順次接続されている。また、室外機１０は、四路切換弁１２の他方の切換えポートに対して、冷媒回路におけるガス側を開閉するガス側閉鎖弁１８、並列接続される３個のガス側連絡配管接続部１９が順次接続されている。なお、室外機１０には、室外熱交換器１４へ外気を循環させるための室外ファン１４ａが設けられている。
【００２３】
一方、各室内機２０には、室内熱交換器２１と、室内熱交換器２１へ室内空気を循環させるための室内ファン２２とが搭載されている。
上記のように構成された本空気調和機は、四路切換弁１２の切換えにより冷媒回路を可逆に切換え、冷房サイクルにより冷房運転が行われ、暖房サイクルにより暖房運転が行われる。
【００２４】
すなわち、本空気調和機は、冷房運転時には、四路切換弁１２を実線矢印の接続位置とする。そして、圧縮機１１、四路切換弁１２、室外熱交換器１４、液側閉鎖弁１５、電動膨張弁１６、液側連絡配管接続部１７、液側の連絡配管Ｌ１、室内熱交換器２１、ガス側の連絡配管Ｌ２、ガス側連絡配管接続部１９、ガス側閉鎖弁１８、四路切換弁１２、アキュムレータ１３、圧縮機１１の順に冷媒を循環させる冷房サイクルを成す冷媒回路が形成される。また、暖房運転時には、四路切換弁１２を破線矢印の接続位置とする。そして、圧縮機１１、四路切換弁１２、ガス側閉鎖弁１８、ガス側連絡配管接続部１９、ガス側の連絡配管Ｌ２、室内熱交換器２１、液側の連絡配管Ｌ１、液側連絡配管接続部１７、電動膨張弁１６、液側閉鎖弁１５、室外熱交換器１４、四路切換弁１２、アキュムレータ１３、圧縮機１１の順に冷媒を循環させる暖房サイクルを成す冷媒回路が形成される。
【００２５】
本空気調和機は、このように冷媒回路を切り換えることにより、冷房サイクルにおいては、室外熱交換器１４が凝縮器として作用し、室内熱交換器２１が蒸発器として作用することにより、室内ファン２２により循環される室内空気が冷却除湿され、室内が冷房される。また、本空気調和機は、暖房サイクルにおいては、室内熱交換器２１が凝縮器として作用し、室外熱交換器１４が蒸発器として作用することにより、室内ファン２２により循環される室内空気が加熱され、室内が暖房される。
【００２６】
このような冷媒回路を備えた空気調和機は、据え付けを行う際には、室外機１０の液側連絡配管接続部１７及びガス側連絡配管接続部１９に対し、液側の連絡配管Ｌ１及びガス側の連絡配管Ｌ２を使って室内機２０を接続する。このときは、室外機１０は、液側閉鎖弁１５とガス側閉鎖弁１８とが閉とされており、冷媒回路内には予め冷媒が充填されている。そして、室内機２０が接続された後に、室内熱交換器２１を含む室内機２０の冷媒回路内、液側の連絡配管Ｌ１及びガス側の連絡配管Ｌ２内の真空引きが行われる。そして、真空引きが完了すると、室外機１０の液側閉鎖弁１５及びガス側閉鎖弁１８を開放することにより、室外機１０内に充填されている冷媒が室内機２０の室内熱交換器２１を含む冷媒回路内、液側の連絡配管Ｌ１及びガス側の連絡配管Ｌ２内に放出される。室外機１０と室内機２０との接続は、このように行われている。しかしながら、液側閉鎖弁１５及びガス側閉鎖弁１８は、手動式であるため、何らかの手違いによりこれら閉鎖弁を閉じた状態としたまま、据え付け作業が終了されることが起こり得る。
【００２７】
また、本空気調和機には、次のように各種の温度センサが設けられている。
すなわち、室外機１０の室外熱交換器１４に室外熱交換器温度センサ３１が設けられている。なお、室外熱交換器温度センサ３１は、冷房運転時の凝縮温度を検出するために室外熱交換器１４に設けられている従来のセンサと同一であるが、液側閉鎖弁１５の室外熱交換器１４側の配管１５ａの温度を検出するセンサとして兼用される。また、液側閉鎖弁１５の電動膨張弁１６側に接続される配管１５ｂには、この配管１５ｂの温度を検出する配管温度センサ３２が設けられている。また、配管１５ｂが分岐されて液側連絡配管接続部１７に接続される３本の分岐配管１５ｃが形成され、分岐配管１５ｃそれぞれに電動膨張弁１６が設けられているが、電動膨張弁１６の液側連絡配管接続部１７側には、暖房運転時の室内熱交換器２１の出口の液冷媒の過冷却度を検出するための３個の液管温度センサ３３が設けられている。
【００２８】
また、室外機１０の、ガス側閉鎖弁１８が接続されるガス管１８ａ側には、ガス管１８ａが分岐されてガス側連絡配管接続部１９に連通される３本の分岐ガス管１８ｂが形成され、分岐ガス管１８ｂそれぞれにガス管温度センサ３４が設けられている。
【００２９】
そして、室内機２０には、室内熱交換器２１へ送られる室内空気の温度を検出する室温センサ３５が設けられ、室内熱交換器２１には、冷房運転時の蒸発温度を検出するための室内熱交換器温度センサ３６が設けられている。
【００３０】
以上の如く各種の温度センサが設けられることにより、冷房運転においては、ガス管温度センサ３４によりガス側閉鎖弁１８とガス側連絡配管接続部１９とを接続するガス管１８ａ及び分岐ガス管１８ｂからなるガス管のガス管温度を検出することができる。
【００３１】
本空気調和機においては、冷房運転スタート時にガス側閉鎖弁１８の開き忘れを検査するために、このガス管温度の検出を行っている。
また、本空気調和機においては、冷房運転において、ガス管温度センサ３４により検出されるガス管温度と室内熱交換器温度センサ３６により検出される温度（蒸発温度に相当）との温度差から冷房運転時の各室内熱交換器２１出口の冷媒の過熱度が検出され、この検出された過熱度に基づき各電動膨張弁１６が制御されている。
【００３２】
このように、ガス管温度センサ３４は、ガス側閉鎖弁１８の開き忘れを検査するための温度センサと各電動膨張弁１６の制御のための温度センサとを兼用させるために各分岐ガス管１８ｂに設けられている。なお、ガス側閉鎖弁１８の開き忘れを検査するための温度センサとしては、ガス側閉鎖弁１８から室内熱交換器２１までの間のガス管の温度であればどこを測定してもよく、ガス管１８ａに１個設けるだけでもよい。なお、本明細書において単に「ガス管温度」というときは、ガス側閉鎖弁１８から室内熱交換器２１までの間のガス管の温度のことをいう。
【００３３】
また、本空気調和機における冷房運転及び暖房運転においては、室外熱交換器温度センサ３１と配管温度センサ３２とにより液側閉鎖弁１５前後の温度差（ΔＴｈ）を検出するようにしている。すなわち、室外熱交換器１４の温度と液側閉鎖弁１５の室外熱交換器１４側の配管１５ａの温度とは一定の関係を有する近似温度となるので、室外熱交換器温度センサ３１により検出される温度と配管温度センサ３２により検出される配管１５ｂの温度との温度差を液側閉鎖弁１５前後の温度差（ΔＴｈ）としている。
【００３４】
ここで、室外熱交換器１４の温度と液側閉鎖弁１５の室外熱交換器１４側の配管１５ａの温度との関係について敷衍する。
すなわち、液側閉鎖弁１５が開かれている通常冷房運転時の場合、室外熱交換器１４は凝縮器として作用し、液側閉鎖弁１５の室外熱交換器１４側（冷房運転時の入口側）の配管１５ａに過冷却液冷媒が流通している。従って、この場合、室外熱交換器１４の温度は、冷媒の凝縮温度となり、液側閉鎖弁１５の室外熱交換器１４側の配管１５ａの温度は過冷却状態の液冷媒の温度となる。このため、この両温度間には過冷却度分の温度差が生ずるが近似する温度となっている。なお、この場合、配管１５ａの温度と配管１５ｂの温度は同一となる。
【００３５】
また、冷房運転時においてガス側閉鎖弁１８が開かれて液側閉鎖弁１５が開き忘れとなっている場合、室外機１０にポンプダウンする状態となるので、室外熱交換器１４及び配管１５ａは双方とも圧力が上昇しながら液冷媒により満たされる。従って、室外熱交換器１４の温度と配管１５ａの温度とはほぼ同一の温度となる。なお、配管１５ｂの温度は、配管１５ｂ内が電動膨張弁１６を介して低圧側に接続された状態となるので低下する。
【００３６】
また、液側閉鎖弁１５が開かれている通常暖房運転時の場合は、室外熱交換器１４は蒸発器として作用し、液側閉鎖弁１５の室外熱交換器１４側（暖房運転時の出口側）となる配管１５ａには、電動膨張弁１６通過後の低圧冷媒が流通している。従って、両温度はほぼ同一の低圧の冷媒温度となる。従って、この場合、室外熱交換器１４の温度、配管１５ａの温度、及び配管１５ｂの温度は略同一となる。
【００３７】
また、暖房運転時においてガス側閉鎖弁１８が開かれて液側閉鎖弁１５が開き忘れされている場合、室内機２０にポンプダウンする状態となるので、室外熱交換器１４及び配管１５ａは、上流側（室内機２１側）が液側閉鎖弁１５により閉鎖され、圧縮機１１の吸入側に接続される状態となる。従って、この場合、室外熱交換器１４と配管１５ａとは、圧縮機１１の運転とともに冷媒圧力および冷媒温度が低下し、両者同一の冷媒温度となる。一方、配管１５ｂは室内機２０から流出した液冷媒に満たされた状態となるので、配管１５ｂの温度は外気温度に近似した温度となる。
【００３８】
本空気調和機において、室外熱交換器温度センサ３１と配管温度センサ３２とは、上記のような温度関係を利用して、冷房運転開始の操作が行われたとき、及び、暖房運転開始の操作が行われたときに、液側閉鎖弁１５の開き忘れを検査するために用いられている。
【００３９】
また、本空気調和機では、暖房運転において、室内熱交換器温度センサ３６と液管温度センサ３３とにより室内熱交換器２１出口の液冷媒の過冷却度が検出され、検出された過冷却度に基づき各電動膨張弁１６が制御されている。
【００４０】
次に、本空気調和機は、図２に示すような、各種動作を制御する制御装置４０を搭載している。
制御装置４０は、実際には室内機２０に搭載される制御部と室外機１０に搭載される制御部とにより形成されるが、機能的には一体のものとして動作するので、ここでは一つの要素として表現し説明する。
【００４１】
図２に示すように、制御装置４０には、圧縮機１１、四路切換弁１２、電動膨張弁１６、室外ファン１４ａ、室内ファン２２が接続されている。より詳細には、これら機器の駆動部が制御装置４０に接続されている。また、制御装置４０には、室外熱交換器温度センサ３１、配管温度センサ３２、液管温度センサ３３、ガス管温度センサ３４、室温センサ３５、室内熱交換器温度センサ３６が接続されている。さらに、制御装置４０には、リモコン５０が無線接続されている。
【００４２】
リモコン５０は、空気調和機に対し運転操作部として機能する。リモコン５０は、空気調和機の運転をオンオフする運転スイッチ、冷房、暖房などの運転モードを選択する運転モードの選択部、室内ファン２２の風量を設定する風量設定部、室内空気の設定温度、現在の室内温度、ガス側閉鎖弁１８及び液側閉鎖弁１５の開閉状態等を表示する表示部などを備えている。リモコン５０は、制御装置４０との間で選択または設定された運転操作情報を交換するなどを、無線で送受信できるように構成されている。
【００４３】
制御装置４０は、予め定められる制御プログラムを実行する演算処理装置、及び制御プログラムや各種の制御処理に用いられる情報等が記憶される記憶部を含んだものであって、機能ブロックとして検査運転要否判定部４１、検査運転制御部４２、通常運転制御部４３、異常運転検知部４４を備えている。
【００４４】
検査運転要否判定部４１は、冷房運転或いは暖房運転が操作されて運転開始されるときに、ガス側閉鎖弁１８及び液側閉鎖弁１５の開閉状態を検査する検査運転の要否を判断する。検査運転要否判定部４１には、初回運転情報を記憶する初回運転記憶部４１ａが付設されている。初回運転記憶部４１ａは、例えば不揮発メモリーにより構成されるものであって、空気調和機の出荷時には、冷房運転も暖房運転も行われていない状態を示す「初回運転なし」が記憶されている。そして、空気調和機が据え付けられて検査運転を経て冷房運転或いは暖房運転が行われた場合は、「初回運転あり」に変更され、これを記憶するように構成されている。
【００４５】
検査運転制御部４２は、検査運転要否判定部４１における検査運転の開始指令に基づき、ガス側閉鎖弁１８及び液側閉鎖弁１５の開閉状態を検査する検査運転を行うように制御する。検査運転は、「初回運転なし」の場合に行われるので、ガス側閉鎖弁１８及び液側閉鎖弁１５の開き忘れがあった場合でも冷媒回路の設計圧力を短時間で超えないように設定するのが好ましく、たとえば、圧縮機１１は通常運転時の運転周波数の約１／２程度となるように設定することが考えられる。
【００４６】
通常運転制御部４３は、検査運転においてガス側閉鎖弁１８及び液側閉鎖弁１５の開き忘れがないと判断された場合に行われる通常の冷房運転或いは暖房運転を行うように空気調和機を制御するものである。この通常の冷房運転或いは暖房運転においては、制御装置４０は、記憶している室内目標温度と室温センサ３５で検出された室温との差に基づいて、そのときに必要な圧縮機能力を発揮せしめるように圧縮機１１の運転周波数を設定して、通常の冷房或いは暖房運転を行うように制御する。
【００４７】
異常運転検知部４４は、空気調和機の異常運転を検知する。異常運転検知部４４は、例えば、圧縮機出力過電流検出や圧縮機ロータ位置検出不良に基づいて冷媒回路の異常を検出する。本実施の形態では、異常運転検知部４４で異常運転を検知することにより、圧縮機のモータコイルが温度限界に至る前に圧縮機１１を停止させることができる。
【００４８】
以下、本実施の形態に係る空気調和機における検査運転要否判定部による検査運転要否判定動作、及び、この判定動作に続く検査運転制御部４２による検査運転動作について、図３〜図６に基づき説明する。
【００４９】
先ず、リモコン５０により冷房運転開始の操作が行われた場合について説明する。この場合は、図３に示すフローに基づき検査運転要否の判定が行われる。
リモコン５０により冷房運転開始の操作が行われた場合は（ステップＳ１）、「初回運転なし」かについて初回運転記憶部４１ａの記録がチェックされる（ステップＳ２）。この結果がＹＥＳの場合、すなわち、これまでに初回運転（すなわち、初回冷房運転或いは初回暖房運転）が行われていない場合は（ステップＳ２でＹＥＳの場合）、ガス側閉鎖弁１８及び液側閉鎖弁１５の開き忘れについて検査されていないことを意味するので、冷房検査運転の開始指令が出力される（ステップＳ３）。また、ステップＳ２でＮＯの場合、すなわち初回運転が行われたことを意味するので、ガス側閉鎖弁１８及び液側閉鎖弁１５の開き忘れがないことを意味する。従って、この場合は、通常冷房運転指令が出力される（ステップＳ４）。以上により、検査運転要否判定が終了する。
【００５０】
上記冷房検査運転の要否判定において冷房検査運転の開始指令が出力された場合、この指令に基づき図４に示す冷房検査運転が行われる。冷房検査運転が開始されると、冷房検査運転中であることを示す表示が例えばリモコン５０の表示部に表示される（ステップＳ１１）。冷房検査運転は、冷媒回路を冷房サイクルの状態にするとともに、圧縮機１１の運転周波数を検査に適した運転周波数として運転が行われる。
【００５１】
この冷房検査運転は、ガス管温度センサ３４により検出される現状のガス管温度と冷房検査運転開始直後のガス管温度とのガス管温度差（ΔＴｇ）が所定値以上になったかどうか見て判断される。ガス側閉鎖弁１８が開放されている場合は、圧縮機１１の運転により分岐ガス管１８ｂ内の冷媒圧力が迅速に低下するので、ガス管温度差（ΔＴｇ）が所定値以上になる。ところが、ガス側閉鎖弁１８が開き忘れの場合は分岐ガス管１８ｂ内の冷媒圧力が低下しないので、ガス管温度差（ΔＴｇ）が所定値未満のままとなる。
【００５２】
そこで、冷房検査運転が開始されると、冷房検査運転を行っていることが表示される（ステップS１１）。次いで、ガス管温度センサ３４により検出される現状のガス管温度と冷房検査運転開始直後のガス管温度とのガス管温度差（ΔＴｇ）が所定値以上かどうか判断される（ステップＳ１２）。ガス管温度差（ΔＴｇ）が所定値未満の場合（ステップＳ１２がＮＯの場合）、第１所定時間（ｔ１）を経過してもガス管温度差（ΔＴｇ）が所定値未満の場合（ステップＳ１３がＹＥＳの場合）、ガス側閉鎖弁１８閉と判断される（ステップＳ１４）。併せて、ガス側閉鎖弁１８閉の表示が例えばリモコン５０の表示部に表示される（ステップＳ１４）。そして、圧縮機１１の運転が停止され（ステップＳ２０）、冷房検査運転の表示が停止される（ステップＳ２１）。ここで、第１所定時間（ｔ１）は、冷房検査運転開始時点からカウント開始される時間である。
【００５３】
一方、前記ガス管温度差（ΔＴｇ）が所定値以上の場合（ステップＳ１２がＹＥＳの場合）、或いは、第４所定時間経過する前にガス管温度差（ΔＴｇ）が所定値以上になった場合（ステップＳ１３ＮＯ→ステップＳ１２がＹＥＳとなった場合）ガス側閉鎖弁１８が開と判断される（ステップＳ１５）。
【００５４】
続いて、液側閉鎖弁１５前後の温度差（ΔＴｈ）の変化を見て、液側閉鎖弁１５の開き忘れがないか判断される（ステップＳ１６）。すなわち、液側閉鎖弁１５が開かれている場合は、液側閉鎖弁１５前後の冷媒の状態が同一と言える。また、この場合、室外熱交換器温度と、配管１５ａ及び配管１５ｂの配管温度とが近似する。従って、液側閉鎖弁１５前後の温度差（ΔＴｈ）に大きな変化が生じない。
【００５５】
しかし、液側閉鎖弁１５が開き忘れの場合は、液側閉鎖弁１５の入口側（室外側熱交換器１４側）の冷媒圧力が急速に上昇し、冷媒温度が上昇する。これに対し、液側閉鎖弁１５の出口側（電動膨張膨張弁１６側）は、冷媒圧力が低下し、冷媒温度が低下気味となる。すなわち、室外熱交換器温度及び配管１５ａの配管温度は上昇し、配管１５ｂの配管温度は下降する。従って、液側閉鎖弁１５前後の温度差（ΔＴｈ）が所定値を超えて上昇する。
【００５６】
このように液側閉鎖弁１５前後の温度差（ΔＴｈ）が変化するので、液側閉鎖弁１５前後の温度差（ΔＴｈ）が所定値以下の場合（ステップＳ１６でＹＥＳの場合）、第２所定時間（ｔ２）を経過してもなお所定値以下を維持している場合は（ステップＳ１７でＹＥＳの場合）、液側閉鎖弁１５開と判断される（ステップＳ１８）。併せて、通常冷房運転の開始指令を出力するとともに、初回運転記憶部４１ａの記録を「初回運転あり」に変更する（ステップＳ１８）、そして、冷房検査運転の表示が停止される（ステップＳ２１）。ここで、第２所定時間（ｔ２）は、ガス側閉鎖弁１８開と判断され時点からカウント開始される。
【００５７】
一方、液側閉鎖弁１５前後の温度差（ΔＴｈ）が所定値を超えている場合（ステップＳ１６でＮＯの場合）、液側閉鎖弁１５閉と判断されるとともに、液側閉鎖弁１５閉の表示が例えばリモコン５０の表示部に表示される（ステップＳ１９）。そして、圧縮機１１の運転が停止され（ステップＳ２０）、冷房検査運転の表示が停止される（ステップＳ２１）。以上の如く冷房検査運転は制御され、ガス側閉鎖弁１８及び液側閉鎖弁１５の開き忘れがないか判断される。
【００５８】
次に、リモコン５０により暖房運転開始の操作が行われた場合について説明する。この場合は、図５に示す動作により検査運転要否の判定が行われる。
リモコン５０により暖房運転開始の操作が行われた場合（ステップＳ３１）、冷媒回路を暖房サイクルの状態にするとともに、例えば、検査運転に適した運転周波数により圧縮機１１を始動する。ところで、ガス側閉鎖弁１８が開き忘れの場合は、圧縮機１１から吐出された吐出ガスは行き場がないために、極短時間経過したに後に、吐出圧力が異常上昇し、異常運転検知部４４がこれを検知し停止される。そこで、予め定められた短い第３所定時間（ｔ３）経過後に（ステップＳ３２）、圧縮機１１が停止されたか判断する（ステップＳ３３）。第３所定時間は、暖房運転開始の操作が行われた時からカウント開始されるものであって、ガス側閉鎖弁１８が開き忘れの場合は異常運転検知部４４が当然に作動済みとなっている時間が設定される。
【００５９】
この時点で圧縮機１１が停止されている場合は（ステップＳ３３でＹＥＳの場合）、ガス側閉鎖弁１８閉の疑いがあり、異常運転の警告が例えばリモコン５０の表示部に表示される（ステップＳ３４）。この表示が出された場合は、取扱い作業者はガス側閉鎖弁１８及び液側閉鎖弁１５双方について開き忘れがないかをチェックするものとする。
【００６０】
そして、ステップＳ３３で圧縮機１１が停止されない場合は（ステップＳ３３でＮＯの場合）は、ガス側閉鎖弁１８が開と判断される（ステップＳ３５）。この場合は、続いて液側閉鎖弁１５の開き忘れの検査運転が必要ないか判断される。具体的には、「初回運転なし」か、どうかについて判断される（ステップＳ３６）。ステップＳ３６でＮＯの場合は、初回運転ありと判断してよいので、液側閉鎖弁１５の開き忘れもないと判断される。従って、この場合は通常暖房運転の開始指令が出力される（ステップＳ３７）。しかし、ステップＳ３６でＹＥＳの場合は、初回運転なしであるので、液側閉鎖弁１５の開き忘れのチェックが必要となる。このため暖房時の検査運転（本明細書における「暖房検査運転」はこれを略称するものである）の開始指令が出力される（ステップＳ３８）。以上により、暖房運転の開始指令が出力された場合の検査運転要否判定に至る動作が完了する。
【００６１】
上記暖房検査運転の要否判定において暖房検査運転の開始指令が出力された場合、この指令に基づき図６に示す暖房検査運転が行われる。また、暖房検査運転が開始されると、暖房検査運転中であることを示す表示が例えばリモコン５０の表示部に表示される（ステップＳ４１）。暖房検査運転は、冷媒回路を暖房サイクルの状態にするとともに、圧縮機１１の運転周波数を検査に適した運転周波数として運転が行われる。
【００６２】
暖房検査運転は、冷房検査運転の場合と同様に、室外熱交換器温度センサ３１により検出される室外熱交換器温度と配管温度センサ３２により検出される配管温度との温度差、つまり、液側閉鎖弁１５前後の温度差（ΔＴｈ）の変化を見て判断される。すなわち、液側閉鎖弁１５が開かれている場合は、液側閉鎖弁１５前後の温度差（ΔＴｈ）が実質的に変化しない。ところが、液側閉鎖弁１５が開き忘れの場合は、ガス側閉鎖弁１８が開かれているため室内機２０側へポンプダウンする状態となる。そして、圧縮機１１から吐出されて室内熱交換器２１へ送られた冷媒は、室内空気で冷却されて液化し室内機２０側に貯留される。この結果、液側閉鎖弁１５の暖房検査運転時の入口側（電動膨張弁１３側）の冷媒圧力は上昇するが、冷媒温度は暖房検査運転開始前とあまり変わらない状態、すなわち外気温度に近い状態となる。しかし、液側閉鎖弁１５の出口側（室外側熱交換器１４側）では、冷媒が圧縮機１１に吸入され、時間の経過とともに冷媒の圧力及び温度が低下する。これにより、液側閉鎖弁１５前後の温度差（ΔＴｈ）が所定値を超えて大きくなる。
【００６３】
従って、暖房検査運転が開始されると、暖房検査運転を行っていることが表示される（ステップＳ４１）。次いで、液側閉鎖弁１５前後の温度差（ΔＴｈ）が所定値以下かどうか判断される（ステップＳ４２）。液側閉鎖弁１５前後の温度差（ΔＴｈ）が所定値以下の場合（ステップＳ４２でＹＥＳの場合）、第４所定時間（ｔ４）経過してもなお液側閉鎖弁１５前後の温度差（ΔＴｈ）が所定値以下の場合には（ステップＳ４２でＹＥＳの場合）、液側閉鎖弁１５開と判断される（ステップＳ４６）。そして、通常暖房運転の開始指令を出力するとともに、初回運転記憶部４１ａの記録を「初回運転あり」に変更され（ステップＳ４６）、暖房検査運転の表示が停止される（ステップＳ４７）。ここで、第４所定時間は、暖房検査運転の開始指令が出された時からカウント開始される時間である。
【００６４】
一方、液側閉鎖弁１５前後の温度差（ΔＴｈ）が所定値を超えている場合（ステップＳ４２でＮＯの場合）、或いは、第４所定時間（ｔ４）を経過する前に液側閉鎖弁１５前後の温度差（ΔＴｈ）が所定値を超えた場合（ステップＳ４３でＮＯ→ステップＳ４２でＮＯとなった場合）は、液側閉鎖弁１５閉と判断される（ステップＳ４４）。また、液側閉鎖弁１５閉の表示が例えばリモコン５０の表示部に表示される（ステップＳ４４）。そして、圧縮機１１の運転が停止され（ステップＳ４５）、暖房検査運転の表示が停止される（ステップＳ４７）。以上の如く暖房検査運転は制御され、液側閉鎖弁１５の開き忘れがないか判断される。
【００６５】
（実施形態の効果）
本実施の形態に係る空気調和機は、以上のように構成されているので、次のような効果を奏することができる。
【００６６】
（１）本空気調和機によれば、冷房運転開始の操作が行われた場合、「初回運転あり」の場合は速やかに通常の冷房運転が行われる。また、「初回運転なし」の場合は、冷房検査運転が行われ、短時間でガス側閉鎖弁１８の開閉状態が判断される。
【００６７】
（２）ガードタイムを用いる従来の検査方法では、ガードタイムの設定が長すぎる場合圧縮機１１の焼損をまねく恐れがある。本空気調和機では、ガス管温度センサ３４の検出結果を用いて判定するため、閉鎖弁開き忘れの反応が早くなる。このため、ガードタイムの設定時間が短縮化され、圧縮機の損傷のおそれも低下する。
【００６８】
（３）冷房検査運転において、ガス側閉鎖弁１８が閉であると判断された場合は、圧縮機１１が停止されるので、圧縮機１１の保護が図れる。また、ガス側閉鎖弁１８が閉であると判断された場合は、ガス側閉鎖弁１８が閉であることが表示されるので、ガス側閉鎖弁１８は勿論のこと液側閉鎖弁１５についてもその開閉を確認し、これら閉鎖弁を開放することができる。
【００６９】
（４）冷房検査運転において、ガス側閉鎖弁１８が開であると判断された場合、液側閉鎖弁１５の開き忘れがないか判断される。液側閉鎖弁１５の開き忘れがないかの判断は、ガス側閉鎖弁１８が開の場合に行われるので、従来のものより短時間で行われる。
【００７０】
（５）冷房検査運転において、液側閉鎖弁１５が閉であると判断された場合は、圧縮機１１が停止されるので、圧縮機１１の保護が図れる。また、液側閉鎖弁１５が閉であると判断された場合は、液側閉鎖弁１５が閉であることが表示されるので、液側閉鎖弁１５の開閉を確認し、液側閉鎖弁１５を開放することができる。
【００７１】
（６）冷房検査運転において、「初回冷房運転なし」の場合であっても、ガス側閉鎖弁１８及び液側閉鎖弁１５が開放されている場合は、速やかに通常の冷房運転に移行することができる。
【００７２】
（７）本空気調和機は、室外機１０と室内機２０とを接続する連絡配管の長さが長くなる場合に効果がある。従って、連絡配管の長さが長くなる場合が多いマルチ型の空気調和機において特に効果がある。
【００７３】
（８）本空気調和機では、暖房運転開始の操作が行われた場合、異常運転検知部４４により異常が判断されない場合は、ガス側閉鎖弁１８は開であると判断し、この場合に液側閉鎖弁１５の開き忘れがないかを短時間で判断することができる。
【００７４】
（変形例）
上記の各実施の形態に関する説明は、本開示に従う空気調和機が取り得る形態の例示であり、その形態に制限されるものではない。本開示に従う空気調和機は、上記実施の形態以外に、例えば以下に示される変形例、及び相互に矛盾しない少なくとも二つの変形例を組み合わせた形態としてもよい。
【００７５】
・前記実施の形態においては、暖房運転開始の操作が行われた場合、ガス側閉鎖弁１８の開を確認した後に液側閉鎖弁１５の開き忘れがないか検査する暖房検査運転の要否判断が行われるとともに、及びこの判断で要の場合には暖房検査運転が行われている。しかしながら、従来の空気調和機のように、このような暖房運転開始の操作が行われた場合の検査運転の要否判断や暖房検査運転を省略した空気調和機としてもよい。
【００７６】
・前記実施の形態においては、冷房検査運転及び暖房検査運転において、圧縮機１１の運転周波数を検査用の特別の運転周波数で運転するようにしていたが、通常冷房運転及び通常暖房運転に使用される運転周波数で検査運転を行うことも可能である。
【００７７】
・前記実施の形態においては、液側閉鎖弁１５の開き忘れを検査する場合の第２所定時間は、ガス側閉鎖弁１８開の判断後を計測スタートの基準としていたが、適切なタイミングを計るものであればよく、計測スタートの基準を冷房運転開始の操作が行われた時とすることも可能である。
【００７８】
・前記実施の形態においては、１台の室外機１０に対し複数台の室内機２０を接続するマルチタイプの空気調和機としていたが、このような空気調和機に限らず、１台の室外機１０に対し１台の室内機２０を接続するタイプの空気調和機であってもよい。
【００７９】
・前記実施の形態においては、液側閉鎖弁１５の開閉検査結果の表示、ガス側閉鎖弁１８の開閉検査結果の表示、検査運転の場合の運転表示等をリモコン５０の表示部に表示させるようにしていたが、リモコン５０以外の個所、例えば室外機１０や室内機２０にこれらの表示部を設けるようにしてもよい。
【００８０】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００８１】
Ｌ１  液側の連絡配管
Ｌ２  ガス側の連絡配管
ΔＴｈ  液側閉鎖弁前後の温度差
ΔＴｇ  （現状のガス管温度と起動直後のガス管温度との）ガス管温度差
１０  室外機
１１  圧縮機
１２  四路切換弁
１３  アキュムレータ
１４  室外熱交換器
１４ａ  室外ファン
１５  液側閉鎖弁
１５ａ  （液側閉鎖弁の室外熱交換器側に接続される）配管
１５ｂ  （液側閉鎖弁の電動膨張弁側に接続される）配管
１５ｃ  （配管を分岐してそれぞれに電動膨張弁が接続される）分岐配管
１６  電動膨張弁
１７  液側の連絡配管接続部
１８  ガス側閉鎖弁
１８ａ  （ガス側閉鎖弁が接続される）ガス管
１８ｂ  （ガス管が分岐されてガス側連絡配管接続部に連通される）分岐ガス管
１９  ガス側の連絡配管接続部
２０  室内機
２１  室内熱交換器
２２  室内ファン
３１  室外熱交換器温度センサ
３２  配管温度センサ
３３  液管温度センサ
３４  ガス管温度センサ
３５  室温センサ
３６  室内熱交換器温度センサ
【図１】
2019184150.tif 000003
【図２】
2019184150.tif 000004
【図３】
2019184150.tif 000005
【図４】
2019184150.tif 000006
【図５】
2019184150.tif 000007
【図６】
2019184150.tif 000008